(57)【要約】      （修正有）【課題】現地作業の際に毒性または可燃性を有する冷媒が漏洩した場合でも、十分に適正な処置をとることができる冷凍サイクル装置を提供する。【解決手段】冷凍サイクル装置の室外ユニット１０２の内部には、延長配管接続バルブ１３ａ、１３ｂが、仕切板５０と機械室側面パネル５３とに固定されたバルブ台５４に設置され、バルブ台５４の機械室前面パネル側の面には表示部６１が設けられている。表示部６１には、使用する冷媒名の他、冷媒分類や冷媒の特性、作業環境指針、および作業環境指針にアクセスするための情報が表示されている。【選択図】図３
2014202451.tif 000002
【特許請求の範囲】
【請求項１】
圧縮機と、熱源側熱交換器と、膨張手段と、負荷側熱交換器と、前記圧縮機、前記熱源側熱交換器、前記膨張手段および前記負荷側熱交換器を連結して、可燃性および毒性の少なくとも一方の特性を有する冷媒を循環させる冷媒配管とを有し、冷凍サイクルを実行する冷凍サイクル装置であって、
前記冷媒配管の一部または前記冷媒配管を支持する配管支持部材の一部若しくは前記一部の周囲の少なくとも何れかに表示部が設けられ、
前記表示部は、前記冷媒の特性に応じた作業環境指針を示していることを特徴とする冷凍サイクル装置。
【請求項２】
前記冷媒配管は前記冷媒を供給するためのサービス口を有し、前記表示部は前記サービス口の位置に設けられていることを特徴とする請求項１記載の冷凍サイクル装置。
【請求項３】
前記圧縮機および前記熱源側熱交換器が設けられた熱源側ユニットと、
前記負荷側熱交換器が設けられた負荷側ユニットと、を備え、
前記熱源側ユニットに配置された前記冷媒配管の一部である熱源側冷媒配管に設けられた熱源側接続バルブと、前記負荷側ユニットに配置された前記冷媒配管の一部である負荷側冷媒配管に設けられた負荷側接続バルブとに、前記冷媒配管の一部である延長配管の両端がそれぞれ接続され、
前記表示部は、前記熱源側接続バルブの位置または前記熱源側接続バルブが設置される熱源側バルブ支持部材の位置または該位置の周囲の少なくとも何れかに設けられていることを特徴とする請求項１または２記載の冷凍サイクル装置。
【請求項４】
前記表示部は、前記負荷側接続バルブの位置または前記負荷側接続バルブが設置される負荷側バルブ支持部材の位置または該位置の周囲の少なくとも何れかに設けられていることを特徴とする請求項３記載の冷凍サイクル装置。
【請求項５】
前記表示部に作業環境指針に追加して、冷媒名、冷媒分類および冷媒の特性が示されていることを特徴とする請求項１〜４の何れか一項に記載の冷凍サイクル装置。
【請求項６】
前記表示部に、作業環境指針にアクセスするための情報が示されていることを特徴とする請求項５記載の冷凍サイクル装置。
【発明の詳細な説明】
【技術分野】
【０００１】
この発明は冷凍サイクル装置、特に、空気調和機、給湯機、冷凍機、自動販売機等に搭載される冷凍サイクル装置に関するものである。
【背景技術】
【０００２】
従来、空気調和機に代表される冷凍サイクルを実行する機器を備えた装置（この発明において「冷凍サイクル装置」と称す）には、冷媒として不燃性であるＲ４１０Ａのような「ＨＦＣ冷媒」が用いられている。このＲ４１０Ａは、従来のＲ２２のような「ＨＣＦＣ冷媒」と異なり、オゾン層破壊係数（以下「ＯＤＰ」と称す）がゼロであって、オゾン層を破壊することはないが、地球温暖化係数（以下「ＧＷＰ」と称す）が高いという性質を有している。
そのため、地球の温暖化防止の一環として、Ｒ４１０ＡのようなＧＷＰが高いＨＦＣ冷媒から、ＧＷＰが低い冷媒へと変更する検討が進められている。
【０００３】
そのような低ＧＷＰの冷媒候補として、自然冷媒であるＲ２９０（Ｃ３Ｈ８；プロパン）やＲ１２７０(Ｃ３Ｈ６；プロピレン)のようなＨＣ冷媒があるが、不燃性であるＲ４１０Ａとは異なり、強燃レベルの可燃性を有しており、そのため、冷媒漏洩に対する注意が必要である。
【０００４】
また、そのような低ＧＷＰの冷媒候補として、組成中に炭素の二重結合を持たないＨＦＣ冷媒として、例えば、Ｒ４１０ＡよりもＧＷＰが低いＲ３２（ＣＨ２Ｆ２；ジフルオロメタン）がある。
また、同じような候補冷媒として、Ｒ３２と同様にＨＦＣ冷媒の一種であって、組成中に炭素の二重結合を有するハロゲン化炭化水素がある。かかるハロゲン化炭化水素として、例えば、ＨＦＯ−１２３４yf（ＣＦ３ＣＦ＝ＣＨ２；テトラフルオロプロパン）やＨＦＯ−１２３４ｚｅ（ＣＦ３−ＣＨ＝ＣＨＦ）がある。なお、Ｒ３２のように組成中に炭素の二重結合を持たないＨＦＣ冷媒と区別するために、炭素の二重結合を持つＨＦＣ冷媒を、オレフィン（炭素の二重結合を持つ不飽和炭化水素がオレフィンと呼ばれる）の「Ｏ」を使って、「ＨＦＯ」と表現されることが多い。
【０００５】
このような低ＧＷＰのＨＦＣ冷媒（ＨＦＯ冷媒含む）は、自然冷媒であるＲ２９０（Ｃ３Ｈ８；プロパン）のようなＨＣ冷媒ほど強燃性ではないものの、不燃性であるＲ４１０Ａとは異なり、微燃レベルの可燃性を有している。そのため、Ｒ２９０と同様に冷媒漏洩に対する注意が必要である。これより以降、微燃レベルであっても可燃性を有する冷媒のことを「可燃性冷媒」と称する。
さらに、低ＧＷＰの冷媒候補として、Ｒ７１７（ＮＨ３；アンモニア）があるが、Ｒ３２（ＣＨ２Ｆ２；ジフルオロメタン）と同様に、微燃レベルの可燃性を有すると共に、毒性も有している。そのため、Ｒ２９０と同様に冷媒漏洩に対する注意が必要である。これより以降、毒性を有する冷媒のことを「有毒性冷媒」と称する。
【０００６】
可燃性冷媒あるいは有毒性冷媒の冷媒漏洩に対しては、前記のように冷媒漏洩に対する注意が必要であることから、特に、使用する冷媒を充填する際、サービスマン（以下「現地作業者」と称す）が使用する冷媒の再確認をすることができるように、チャージホースを接続するサービス口の近傍に、当該装置の使用する冷媒名を表示した冷媒名表示ラベルを貼り付ける冷却装置が開示されている（例えば、特許文献１参照）。
また、圧縮機の外郭に「冷媒名称、冷媒番号、化学名、化学式、冷媒の特徴」等の冷媒表示、「びっくりマーク、可燃性のマーク、危険・警告表示、高圧注意、取扱注意」等の警告表示を入れたテープを貼り付ける自動販売機が開示されている（例えば、特許文献２参照）。
【先行技術文献】
【特許文献】
【０００７】
【特許文献１】特開平１０−３１１６２９号公報（第３頁、図２）
【特許文献２】特開２００８−４０６５２号公報（第６頁、図２）
【発明の概要】
【発明が解決しようとする課題】
【０００８】
しかしながら、特許文献１に開示された冷却装置においては、冷媒名表示ラベルに使用する冷媒名（冷媒の名称）が示されているものの、可燃性や毒性といった冷媒の特性が示されていない。
また、特許文献２に開示された自動販売機においては、冷媒名称の他に、冷媒の特徴や可燃性のマークが示されているが、例えば、不燃性と可燃性の区別はあっても、可燃性の度合い、すなわち、強燃性なのか微燃性なのかといった冷媒の特性の度合いは、示されていない。
【０００９】
このため、据え付けや修理、撤去といった現地作業の際に、現地作業者が、使用する冷媒の特性の度合いによって、どのような工法や工具、保護具、作業環境等を準備すれば良いかという具体的な作業環境指針を把握することに、必ずともつながっていない。
そのため、万一、現地作業において冷媒が漏洩した場合に、現地作業者や現地周囲の人に対して適正な処置をとることができないという問題があった。例えば、使用する冷媒の可燃性の度合いによって、火気使用の制約や電動工具の仕様制約、換気や送風の作業環境等のような作業環境指針のレベルが異なるため、作業環境指針を正確に把握できないまま現地作業に入ると、冷媒の可燃性の度合いにより要求レベルの異なる作業環境指針に従った作業準備に不足が生じる場合が生じ、そんな場合に万一、冷媒が漏洩すると、十分に適正な処置をとることができない事態が発生し得るという問題があった。
【００１０】
この発明は、上記のような問題を解決するためになされたもので、可燃性や毒性を有する冷媒を用いた冷凍サイクル装置の据え付けや修理、撤去といった現地作業に着手する段階において、現地作業者が冷媒の特性の度合いに応じた作業環境指針を把握することを可能とし、万一、現地作業の際に冷媒が漏洩した場合でも、十分に適正な処置をとることができる冷凍サイクル装置を提供することを目的とする。
【課題を解決するための手段】
【００１１】
この発明に係る冷凍サイクル装置は、圧縮機と、熱源側熱交換器と、膨張手段と、負荷側熱交換器と、前記圧縮機、前記熱源側熱交換器、前記膨張手段および前記負荷側熱交換器を連結して、可燃性および毒性の少なくとも一方の特性を有する冷媒を循環させる冷媒配管とを有し、冷凍サイクルを実行する冷凍サイクル装置であって、前記冷媒配管の一部または前記冷媒配管を支持する配管支持部材の一部若しくは前記一部の周囲の少なくとも何れかに表示部が設けられ、前記表示部は、前記冷媒の特性に応じた作業環境指針を示していることを特徴とする。
【発明の効果】
【００１２】
この発明によれば、可燃性および毒性の少なくとも一方の特性を有す冷媒を使用する冷凍サイクル装置において、冷媒の特性に応じた作業環境指針を示す表示部が、冷媒配管の一部、または冷媒配管を支持する配管支持部材の一部、若しくは前記一部の周囲の少なくとも何れかに設けられている。
したがって、冷凍サイクル装置の据え付け時、延長配管接続や試運転のためにバルブを開放する時、修理の際、冷媒回収のためにバルブを閉止する時、冷媒充填のために冷媒ボンベを接続する時、あるいは撤去の際、冷媒回収のためにバルブを閉止する時といった、冷媒が漏洩する可能性のある何れの現地作業においても、表示部は現地作業員の目に必ず触れる。
そうすると、現地作業に必要な注意が喚起され、現地作業員は表示部に示された作業環境指針を、迅速かつ確実に把握することが可能になる。したがって、万一、据え付けや修理、撤去といった現地作業の際に可燃性や毒性を有する冷媒が漏洩した場合でも、現地作業者や現地周囲の人に対する適切な処置をすることができ、万一の冷媒漏洩に対する信頼性を高めた冷凍サイクル装置が得られる。
【図面の簡単な説明】
【００１３】
【図１】本発明の実施の形態１に係る冷凍サイクル装置としての空気調和機を説明するものであって、冷媒回路の構成を模式的に示す冷媒回路図。
【図２】本発明の実施の形態１に係る冷凍サイクル装置としての空気調和機の室外ユニットの外観を示す斜視図。
【図３】本発明の実施の形態１に係る冷凍サイクル装置としての空気調和機の室外ユニットの前面および天面のパネルを取り外した状態の外観を示す斜視図。
【図４】図１〜図３に示す空気調和機に配置された表示部を説明する正面図であって、（ａ）は冷媒がＲ３２の場合、（ｂ）は冷媒がＲ２９０（プロパン）の場合、（ｃ）は冷媒がＲ７１７（アンモニア）の場合。
【図５】図１〜図３に示す空気調和機に配置された表示部における表示要領を変形した場合の正面図。
【図６】図１〜図３に示す空気調和機に配置された表示部における表示要領を変形した場合の正面図。
【図７】図１〜図３に示す空気調和機を構成する室内ユニットの変形例を説明する斜視図。
【発明を実施するための形態】
【００１４】
［実施の形態１］
図１〜図３は本発明の実施の形態１に係る冷凍サイクル装置としての空気調和機を説明するものであって、図１は冷媒回路の構成を模式的に示す冷媒回路図、図２は室外ユニットの外観を示す斜視図、図３は室外ユニットの前面および天面のパネルを取り外した状態の外観を示す斜視図である。なお、各図は模式的に示すものであって、本発明は図示された形態に限定されるものではない。
以下、この発明の実施の形態１について、図１〜図３を参照しながら説明する。ここでは、冷媒を圧縮機で圧縮して循環させ、低温熱源から吸熱し高温熱源に排熱する冷凍サイクルを用いた冷凍サイクル装置として、室内の冷房や暖房を行う空気調和機を用いて説明する。なお、本発明は空気調和機に限定されるものではなく、冷凍サイクルを実行するものであれば、例えば、暖房／冷房システム、給湯機、冷凍機、自動販売機等であってもよい。
【００１５】
（空気調和機）
図１において、実施の形態１に係る冷凍サイクル装置としての空気調和機１００は、室内に設置される室内ユニット（負荷側ユニットに同じ）１０１と、室外に据え付けられる室外ユニット（熱源側ユニットに同じ）１０２と、室内ユニット１０１と室外ユニット１０２とを連結する延長配管１０ａ、１０ｂと、から構成されるセパレート形である。
【００１６】
（室外ユニットの冷媒回路）
室外ユニット１０２には、冷媒を圧縮して吐出する圧縮機３と、冷房運転時と暖房運転時とで冷媒回路内の冷媒の流れ方向を変更する冷媒流路切換弁（以降、「四方弁」と呼ぶ）４と、外気と冷媒との熱交換を行う熱源側熱交換器である室外熱交換器５と、開度が変更可能で、高圧の冷媒を低圧に減圧する電子制御式膨張弁等の膨張手段である減圧装置（以降、膨張弁と呼ぶ）６とが配置され、これらが室外冷媒配管（熱源側冷媒配管に同じ）８によって連結されている。
また、室外熱交換器５に外気を供給する（吹き付ける）室外送風ファン５ｆが、室外熱交換器５に対向して設置されている。室外送風ファン５ｆを回転させることで、室外熱交換器５を通過する空気流を生成する。室外ユニット１０２では、室外送風ファン５ｆとしてプロペラファンを用いており、室外熱交換器５を通過して外気を吸引する形態で、室外熱交換器５の下流（室外送風ファン５ｆが生成する空気流の下流）側に配置されている。
【００１７】
（室外冷媒配管）
室外冷媒配管８とは、ガス側（冷房運転時）の延長配管接続バルブ１３ａと四方弁４とをつなぐ冷媒配管、吸入配管１１、吐出配管１２、四方弁４と室外熱交換器５とをつなぐ冷媒配管、室外熱交換器５と膨張弁６とをつなぐ冷媒配管、膨張弁６と液側（冷房運転時）の延長配管接続バルブ１３ｂをつなぐ冷媒配管とを指し、これらを総称してこのように呼ぶ。
【００１８】
（延長配管接続バルブ）
室外冷媒配管８のガス側の延長配管１０ａとの接続部には、ガス側の延長配管接続バルブ１３ａが設けられ、一方、液側の延長配管１０ｂとの接続部には、液側の延長配管接続バルブ１３ｂが配置されている。
ガス側の延長配管接続バルブ１３ａは開放および閉止の切り換えが可能な二方弁であって、その一端にフレア継手１６ａが取り付けられている。
また、液側の延長配管接続バルブ１３ｂは開放および閉止の切り替えが可能な三方弁であって、真空引きの際（空気調和機１００に冷媒を供給する前作業の際）に使用するサービス口１４ｂおよびフレア継手１６ｂが取り付けられている。
そして、延長配管接続バルブ１３ａ、１３ｂ（サービス口１４ｂも含む）に取り付けられたフレア継手１６ａ、１６ｂの室外冷媒配管８側には雄ネジが加工されている。そして、室外ユニット１０２の出荷時（空気調和機１００の出荷時を含む）には、前記雄ネジに螺合する雌ネジが加工されたフレアナット（図示しない）が被着されている。
【００１９】
（サービス口）
なお、以下の説明の便宜のため、室外冷媒配管８のなかで、圧縮機３の吐出側で圧縮機３から四方弁４入口までを接続する範囲を吐出配管１２と呼び、圧縮機３の吸入側で四方弁４から圧縮機３までを接続する範囲を吸入配管１１と呼ぶこととする。
そうすると、冷房運転時（室内熱交換器７に低温低圧な冷媒を供給する運転）あるいは暖房運転時（室内熱交換器７に高温高圧な冷媒を供給する運転）の何れの時でも、吐出配管１２には常に圧縮機３で圧縮された高温高圧なガス冷媒が流れ、吸入配管１１には、蒸発作用を経た低温低圧な冷媒が流れる。
【００２０】
吸入配管１１を流れる低温低圧な冷媒は、ガス冷媒の時もあれば、二相状態の時もある。吸入配管１１には低圧側のフレア継手付きのサービス口１４ａ、吐出配管１２には高圧側のフレア継手付きのサービス口１４ｃが配置されており、据え付け時や修理時の試運転の際に圧力計を接続して、運転圧力を計測するために使用される。
なお、サービス口１４ａ、１４ｃのフレア継手（図示しない）には雄ネジが切ってあって、室外ユニット１０２の出荷時（空気調和機１００の出荷時を含む）には、前記雄ネジにフレアナット（図示しない）が被着されている。
【００２１】
（室内機の冷媒回路）
室内ユニット１０１には室内空気と冷媒との熱交換を行う利用側熱交換器である室内熱交換器７が配置され、室内熱交換器７に室内冷媒配管（利用側冷媒配管に同じ）９が接続されている。
そして、室内冷媒配管９のガス側の延長配管１０ａとの接続部には、ガス側の延長配管１０ａを接続するためのフレア継手１５ａが設けられ、一方、室内冷媒配管９の液側の延長配管１０ｂとの接続部には、液側の延長配管１０ｂを接続するためのフレア継手１５ｂが配置されている。
そして、フレア継手１５ａ、１５ｂには雄ネジが切ってあって、室内ユニット１０１の出荷時（空気調和機１００の出荷時を含む）には、前記雄ネジに螺合する雌ネジが加工されたフレアナット（図示しない）が被着されている。
また、室内熱交換器７に対向して室内送風ファン７ｆが設置され、室内送風ファン７ｆの回転により室内熱交換器７を通過する空気流を生成する。なお、室内送風ファン７ｆは、室内ユニット１０１の形態によって、クロスフローファンを使用したり、ターボファンを採用したり様々である。また、その位置も、室内送風ファン７ｆが生成する空気流において室内熱交換器７の下流側の場合もあれば、上流側の場合もある。
【００２２】
（空気調和機の冷媒回路）
ガス側の延長配管１０ａの両端は、室外ユニット１０２のガス側の延長配管接続バルブ１３ａに取り付けられたフレア継手１６ａと室内ユニット１０１の室内冷媒配管９に取り付けられたフレア継手１５ａとにそれぞれ着脱自在に接続され、一方、液側の延長配管１０ｂの両端は、室外ユニット１０２の液側の延長配管接続バルブ１３ｂに取り付けられたフレア継手１６ｂと室内ユニット１０１の室内冷媒配管９に取り付けられたフレア継手１５ｂとにそれぞれ着脱自在に接続される。
すなわち、室外冷媒配管８と室内冷媒配管９とが延長配管１０ａ、１０ｂによって接続されることによって冷媒回路が形成され、圧縮機３によって圧縮された冷媒を循環させる圧縮式ヒートポンプサイクルが構成される。
【００２３】
（冷房運転時の冷媒流れ）
図１において、実線矢印は冷房運転時の冷媒の流れ方向を示している。冷房運転では、四方弁４が実線で示すような冷媒回路に切り換えられ、圧縮機３から吐出された高温高圧のガス冷媒は四方弁４を経てまず室外熱交換器５へと流入する。
室外熱交換器５は凝縮器として作用する。すなわち、室外送風ファン５ｆの回転により生成される空気流が室外熱交換器５を通過する際に、通過する室外空気と室外熱交換器５を流れる冷媒とが熱交換して、冷媒の凝縮熱が室外空気に付与される。こうして冷媒は室外熱交換器５で凝縮して高圧中温な液冷媒となる。
次に、高圧中温な液冷媒は膨張弁６に流入し、膨張弁６において断熱膨張して低圧低温の二相冷媒となる。
【００２４】
続いて低圧低温の二相冷媒は、液側の延長配管１０ｂを経由して室内ユニット１０１に供給され、室内熱交換器７に流入する。この室内熱交換器７が蒸発器として作用する。すなわち、室内送風ファン７ｆの回転で生じる室内空気の流れが室内熱交換器７を通過する際に、通過する室内空気と室内熱交換器７を流れる冷媒とが熱交換して、冷媒が室内空気から蒸発熱（温熱）を奪って蒸発し、低温低圧なガス冷媒もしくは二相冷媒の状態になる。一方、通過する室内空気は冷媒から冷熱を奪って冷却され、室内を冷房する。
さらに、室内熱交換器７において蒸発して低温低圧なガス冷媒もしくは二相冷媒の状態になった冷媒は、ガス側の延長配管１０ａを経由して室外ユニット１０２に供給され、四方弁４を経由して圧縮機３に吸入される。そして、圧縮機３において再び高温高圧のガス冷媒に圧縮される。冷房運転ではこのサイクルが繰り返される。
【００２５】
（暖房運転時の冷媒流れ）
図１において、点線矢印は暖房運転時の冷媒の流れ方向を示している。四方弁４を点線で示すような冷媒回路に切り換えれば、冷媒は冷房運転時と逆方向に流れ、まず室内熱交換器７に流入するようになり、この室内熱交換器７を凝縮器、そして室外熱交換器５を蒸発器として作用させ、室内熱交換器７を通過する室内空気に凝縮熱（温熱）を与えて暖め、暖房運転となる。
【００２６】
（冷媒）
空気調和機１００では、冷媒回路を流れる冷媒として、現在広く空気調和機で使用されているＨＦＣ冷媒Ｒ４１０ＡよりもＧＷＰが小さく、比較的地球温暖化への影響が少ないが、微燃性を有するＨＦＣ冷媒であるＲ３２（ＣＨ２Ｆ２；ジフルオロメタン）を用いている。冷媒は、一定量をあらかじめ室外ユニット１０２内に封入した状態で出荷され、空気調和機１００を設置する際、延長配管１０ａ、１０ｂの長さによって不足が生じる場合には、現地作業にて追加充填される。
【００２７】
なお、冷媒はこのＲ３２に限定されるものではなく、Ｒ３２同様に微燃性を有する、先に説明した、ＨＦＣ冷媒の一種であるが、組成中に炭素の二重結合を有するハロゲン化炭化水素であり、ＧＷＰがＲ３２冷媒よりも更に小さい例えばＨＦＯ−yf（ＣＦ３ＣＦ＝ＣＨ２；テトラフルオロプロパン）やＨＦＯ−１２３４ｚｅ（ＣＦ３−ＣＨ＝ＣＨＦ）等のＨＦＯ冷媒であってもよい。
また、強燃性を有するＲ２９０（Ｃ３Ｈ８；プロパン）やＲ１２７０(Ｃ３Ｈ６；プロピレン)等のＨＣ冷媒や、微燃性且つ有毒性のＲ７１７（ＮＨ３；アンモニア）であってもよい。また、これら冷媒の二種以上を混合した混合冷媒であってもよい。
【００２８】
（室外ユニットの構造）
図２および図３において、空気調和機１００の室外ユニット１０２の外郭を成す筐体２は、複数の板状板金部品が組み合わさって構成されており、筐体２の底部を担う底板５６には、室外ユニット１０２の内部（筐体２の内部）を左右に区切る仕切板５０が直立状に設置されている。筐体２は仕切板５０によって、室外送風ファン５ｆおよび室外熱交換器５を有するファン室Ｆと、圧縮機３や室外冷媒配管８、電気品ユニット２０が配置される機械室Ｍとに分けられている。
【００２９】
（筐体）
室外ユニット１０２の外郭を成す筐体２は、底板５６の他に、ファン室Ｆの正面を覆うファン室前面パネル５１、機械室Ｍの正面と仕切板５０の反対側となる側面の前方部分とを覆うＬ字状の機械室前面パネル５２、機械室Ｍの側面の後方部分と背面を覆うＬ字状の機械室側面パネル５３、およびファン室Ｆと機械室Ｍとに跨って室外ユニット１０２の上面を覆う天面パネル５５により形成されている。これらのパネルはいずれも板金部品である。なお、これらの筐体２を構成するパネルは、より細かく分解されて構成されていてもよいし、いくつかが一体的に成形されていても構わない。
機械室前面パネル５２の外表面には、製品名板６０が貼り付けられており、その記載内容の一つに使用する冷媒名がある。図３は、筐体のうち天面パネル５５、ファン室前面パネル５１、機械室前面パネル５２を取り外した状態であるが、据え付け時や修理、撤去の現地作業は、少なくとも機械室前面パネル５２を取り外した状態にて行われる。なお、図３においては、電気配線類の図示は省略してある。
【００３０】
（室外送風ファン）
ファン室前面パネル５１には、室外送風ファン５ｆに対向して略円形の吹出口５７が形成されており、その吹出口５７は、吹出口５７を通って室外送風ファン５ｆに何かが触れてしまうことを防止するために、通風面積が確保されたファンガード５８が取り付けられている。
室外熱交換器５は横断面が略Ｌ字状で、その長辺部分がファン室Ｆの背面部位に位置するように底板５６上に固定されている。そしてその短辺部分が、ファン室Ｆの仕切板５０とは反対側となる側面部位に位置する。ファン室Ｆにおける室外熱交換器５の長辺部分の前方に室外送風ファン５ｆが位置する。室外送風ファン５ｆが回転することで生成される空気流の上流側に室外熱交換器５が、下流側に室外送風ファン５ｆが位置する形態となる。
【００３１】
室外送風ファン５ｆの後方には、回転軸を介して室外送風ファン５ｆと連結し、室外送風ファン５ｆを回転駆動させるファンモータ５ｍが配置されている。そして、ファンモータ５ｍは、底板５６に固定されて直立しているファンモータ支持板５９に固定されている。ファンモータ支持板５９は、前後方向に、室外送風ファン５ｆと室外熱交換器５の長辺部分との間に位置している。
【００３２】
（圧縮機）
一方、機械室Ｍでは、下部に質量が他の機器に比べて大きい圧縮機３が、底板５６上に防振ゴムを介して設置されている。圧縮機３は、密閉容器の内部に、圧縮要素が回転して冷媒を圧縮する圧縮機構部と、圧縮機構部の圧縮要素を回転駆動させる電動機部とを有しており、吸入配管１１からの冷媒を吸入し、圧縮機構部で圧縮した冷媒ガスを吐出配管１２へ流出させるようになっている。
【００３３】
少なくとも圧縮機３の上方となる機械室Ｍの上部には、室内ユニット１０１の制御装置と連動してこの空気調和機１００の運転を制御するための制御装置を構成する電気電子部品などが実装された電装基板を収めた電気品ユニット２０が設置されている。
【００３４】
（室外冷媒配管）
室外冷媒配管８は、下部に位置する圧縮機３と上部に位置する電気品ユニット２０以外の機械室Ｍのスペースに取り回されて配置されている。
室外冷媒配管８の内、延長配管接続バルブ１３ａ、１３ｂは、仕切板５０と機械室側面パネル５３に固定される形で機械室Ｍ内の機械室前面パネル５２側に近接して配置されたバルブ台（配管支持部材に同じ）５４に固定されている。同様に、低圧側のサービス口１４ａと高圧側のサービス口１４ｃも、室外冷媒配管８から取り回されて機械室前面パネル５２側に近接して配置されるバルブ台５４の近傍に配置されている。
このような配置状態により、据え付け時や修理、あるいは撤去の現地作業の際、手が触れる機会のある延長配管接続バルブ１３ａ、１３ｂならびにサービス口１４ａ、１４ｂ、１４ｃは、機械室前面パネル５２を取り外した状態で、最も手前に位置している。すなわち、機械室Ｍ内に収納された圧縮機３や室外冷媒配管８に邪魔されることなく、現地作業することが可能になっている。
そして、バルブ台５４の機械室前面パネル５２側の面には表示部６１を有しており、使用する冷媒名の他、冷媒分類や冷媒の特性、作業環境指針、および作業環境指針にアクセスするための情報が表示されている（これについては別途詳細に説明する）。
なお、以上は、表示部６１がバルブ台（配管支持部材）５４の一部に設けられているが、本発明はこれに限定するものではなく、室外冷媒配管８の一部に直接設けてもよく、また、バルブ台５４の一部の近傍あるいは室外冷媒配管８の一部（バルブ台５４に近い）の近傍（本発明において「周囲」と称している）に設けてもよい。すなわち、バルブ台５４が複数の部材から形成され（分割され）、それぞれの部材が小さい場合には、当該部材の周囲に、あるいは当該部材とその周囲とに跨がって、表示部６１を設けてもよい。
【００３５】
（現地作業）
続いて、据え付け時を例にとって、現地作業の一例を説明する。まず、室外ユニット１０２の外郭を構成する筐体２の内、少なくとも機械室前面パネル５２を取り外す。
次に、室外ユニット１０２の延長配管接続バルブ１３ａ、１３ｂに取り付けられたフレア継手１６ａ、１６ｂに延長配管１０ａ、１０ｂの一端をそれぞれフレア配管接続し、延長配管１０ａ、１０ｂの他端を室内ユニット１０１のフレア継手１５ａ、１５ｂにそれぞれフレア配管接続し、空気調和機１００の冷媒回路を構成する（冷媒の循環を可能にする）。
また、電源・アースの接続の他、室内ユニット１０１と室外ユニット１０２、リモコン（図示せず）等の電気配線工事も行い、空気調和機１００の運転を可能な状態にする。
【００３６】
（冷媒の補充）
次に、液側の延長配管接続バルブ１３ｂのサービス口１４ｂのフレアナット（図示しない）を取り外し、サービス口１４ｂに、あらかじめ用意しておいた真空ポンプをチャージホースを用いて接続し、延長配管１０ａ、１０ｂ、室内冷媒配管９および室内ユニット１０１の室内熱交換器７内の真空引きを行い、冷媒回路内の空気や水分を取り除く。
真空ポンプは圧力計（真空度計）を介して接続されており、圧力計（真空度計）によって所定の真空度に到達したことを確認し、真空引きを終了する。そして、真空ポンプを取り外し、サービス口１４ｂのフレアナット（図示しない）を再度取り付ける。
【００３７】
次に、延長配管接続バルブ１３ａ、１３ｂを操作することで開放し、出荷時に室外ユニット１０２に封入されていた冷媒を室内ユニット１０１や延長配管１０ａ、１０ｂへ放出する。
そして、リモコンや電気品ユニット２０の電装基盤上にあるスイッチ等の操作によって試運転を実施する。このとき、延長配管１０ａ、１０ｂの長さによって冷媒量が不足している場合には、延長配管接続バルブ１３ｂのサービス口１４ｂのフレアナット（図示しない）を取り外し、サービス口１４ｂに冷媒ボンベをチャージホースを用いて接続し、所定量の冷媒を追加充填する。
また、低圧側のサービス口１４ａならびに高圧側のサービス口１４ｃに圧力計を接続することで、空気調和機１００の運転状態を確認し、運転状態に問題なければ試運転を終了、圧力計を取り外し、サービス口１４ａ、１４ｃのフレアナット（図示しない）を再度取り付ける。
【００３８】
このように、現地作業時には、現地作業者は延長配管接続バルブ１３ａ、１３ｂやサービス口１４ａ、１４ｂ、１４ｃに触れ、またこれらの近傍に必ず目をやることになるから、延長配管接続バルブ１３ａ、１３ｂの固定台であるバルブ台５４にも必ず目をやることになる。よって、バルブ台５４の機械室前面パネル５２側の面にある表示部６１にも必ず目をやることになる。
【００３９】
（表示部）
図４〜図６は、図１〜図３に示す空気調和機に配置された表示部を説明する正面図であって、図４の（ａ）は冷媒がＲ３２の場合、図４の（ｂ）は冷媒がＲ２９０（プロパン）の場合、図４の（ｃ）は冷媒がＲ７１７（アンモニア）の場合、図５および図６は表示部における表示要領を変形した場合である。
以上説明したように、室外ユニット１０２は前記基本的な構成を有し、前記現地作業の手順を実行するものであって、空気調和機１００は、冷媒回路を流れる冷媒として、地球温暖化防止に有効な低ＧＷＰのＨＦＣ冷媒（ここではＲ３２）を使用している。
このようなＨＦＣ冷媒は微燃性であるため、万一、空気調和機１００の現地作業時に、可燃性を有する冷媒が漏洩した場合でも、現地作業者ならびに現地周囲の人に対する高い安全性、すなわち可燃性の度合いに応じた作業環境指針を把握し、必要な安全性を確保した作業環境を整えることが必要となる。
そこで、室外ユニット１０２には、現地作業の際に機械室前面パネル５２を取り外した後であっても、現地作業者が必ず目をやるバルブ台５４に表示部６１を配置している。
【００４０】
図４の（ａ）、（ｂ）および（ｃ）において、表示部６１には（ｉ）使用する冷媒名、（ｉｉ）冷媒分類、（ｉｉｉ）冷媒の特性、（ｉｖ）作業環境指針、および（ｖ）作業環境指針にアクセスするための情報が表示されている。
【００４１】
（冷媒分類）
表１において、冷媒の冷媒分類は、毒性の度合いを示す記号と、可燃性の度合いを示す記号との組み合わせにより定義される。すなわち、「ＡＳＨＲＡＥ  ３４」では、毒性については、低毒性をＡ、有毒性をＢにて分類し、可燃性については、不燃性を１、微燃性を２Ｌ、弱燃性を２、強燃性を３にて分類する。したがって、冷媒分類は、低毒性かつ不燃性を示す「Ａ１」から、有毒性かつ強燃性を示す「Ｂ３」までの８水準に分類され、例えば、低毒性かつ微燃性のＲ３２は「Ａ２Ｌ」となる。
なお、「ＡＳＨＲＡＥ  ３４」の他、「ＩＳＯ  ８１７」によっても国際的な取り決めがされており、本発明における冷媒分類は図１（「ＡＳＨＲＡＥ  ３４」及び「ＩＳＯ  ８１７」）に示す分類に限定するものではない。
【００４２】
【表１】
2014202451.tif 000003
【００４３】
（冷媒の特性）
図４の（ａ）、（ｂ）および（ｃ）において、表示部６１に表示される冷媒の特性は、前記冷媒分類に対応したものであり、毒性の度合いを示す文字と、可燃性の度合いを示す文字とである。したがって、例えば、Ｒ３２については、冷媒分類が「Ａ２Ｌ」と、冷媒の特性が「低毒性・微燃性」と表示される。
このように、冷媒分類に対応した異なった表示となることから、現地作業時の作業環境指針は異なったレベルのものになる。具体的には、火気使用の制約や電動工具の仕様制約、換気や送風の必要等、それぞれのレベルの作業環境を確保する必要が示される。
【００４４】
（作業環境指針）
図４の（ａ）、（ｂ）および（ｃ）において、作業環境指針を規定する国際規格基準名として、「ＩＥＣ  ６０３３５−２−４０」および「ＩＳＯ  ５１４９」が表示されている。すなわち、冷媒分類に応じた作業環境指針は、「ＩＳＯ  ５１４９」や「ＩＥＣ  ６０３３５−２−４０」によって国際的に規定されていたり、各国においては所轄官庁や学会、冷凍サイクル装置の製造業者らで構成される工業会等によってガイドラインとして開示されている。また、冷凍サイクル装置の製造業者にも、据え付け説明書やサービスマニュアル等の形によって、開示されている場合もある。
したがって、表示部６１に表示される作業環境指針は、前記国際規格名に限定されるものではなく、前記所轄官庁や学会、あるいは工業会等の名称であってもよい。
【００４５】
（作業環境指針にアクセスするための情報）
図４の（ａ）、（ｂ）および（ｃ）において、表示部６１には、国際規格番号（「ＩＳＯ  ５１４９」や「ＩＥＣ  ６０３３５−２−４０」）の他に、当該国際規格番号に対応した内容（作業環境指針の詳細）にアクセスするための情報として、当該国際規格を管理するサイトを示すマトリックス式のＱＲコード（登録商標）が表示されている。
したがって、現地作業の際に、前記内容（作業環境指針の詳細）を記した文書類を持参していない場合でも、携帯電話やスマートフォンを用いて、現地作業の現場においても容易に前記内容（作業環境指針の詳細）を把握確認することができる。
なお、作業環境指針にアクセスするための情報は、当該国際規格を管理するサイトを示すマトリックス式のＱＲコード（登録商標）に限定するものではなく、また、前記のように国際規格によって規定されたものの他に、各国の所轄官庁、学会、工業会、製造業者によって規定されたものもあることから、当該国際規格を管理するサイトの他に、前記所轄官庁や学会、あるいは工業会等の名称に対応したウェブサイトのＵＲＬやその二次元コード（スタックドバーコード式のＰＤＦ４１７、マトリックス式のＱＲコード（登録商標）やＤａｔａ  Ｍａｔｒｉｘ、Ｍｉｘ  Ｃｏｄｅ等）であってもよい。
【００４６】
（作用効果）
この空気調和機１００の室外ユニット１０２では、現地作業の際に現地作業者が室外ユニット１０２の延長配管接続バルブ１３ａ、１３ｂやその近傍に必ず触れ、その近傍を見ることに着目し、この延長配管接続バルブ１３ａ、１３ｂの固定台であるバルブ台５４に、表示部６１を備えている。そして、表示部６１には（ｉ）使用する冷媒名の他、（ｉｉ）冷媒分類、（ｉｉｉ）冷媒の特性、（ｉｖ）作業環境指針、および（ｖ）作業環境指針にアクセスするための情報が表示されている。
したがって、冷媒として低ＧＷＰであるものの、微燃性を有するＨＦＣ冷媒のＲ３２を用いているものの、万一、現地作業の際に冷媒が漏洩したとしても、現地作業者や現地周囲の人に対する十分に適切な処置を確保することが可能になっている。
【００４７】
さらに、冷媒分類に応じた作業環境指針にアクセスするための情報として、国際規格やガイドライン、マニュアル類にアクセスできる国際規格や所轄官庁、学会、工業会、製造業者のウェブサイトのＵＲＬやその二次元コードを表示しているから、携帯電話やスマートフォンを用いて、現地作業の現場においても作業環境指針の詳細を容易に把握確認することができる。すなわち、万一の冷媒漏洩に対する作業環境を予め確保することがより確実になる。よって、万一の冷媒漏洩に対する信頼性が向上している。
なお、以上は、表示部６１をバルブ台５４に配置しているが、本発明はこれに限定するものではなく、室外冷媒配管８の延長配管接続バルブ１３ａ、１３ｂに近い位置に設けてもよい。
【００４８】
（表示の変形例１）
図５において、表示部６１には、作業環境指針として、国際規格の名称に代えて、ガイドラインの要点が表示されている。すなわち、作業環境を確保するために必要な具体的な内容（火気使用について、電動工具について、換気・通気について）が表示されている。したがって、現地作業の現場において、現地作業員は、現地作業における注意点を詳細に、直接知ることができる。
なお、前記表示に追加して、前記作業環境指針（国際規格の名称）やＱＲコード（登録商標）を表示してもよい。
【００４９】
（表示の変形例２）
図６において、表示部６１には、冷媒分類を示す記号の後に括弧付きで、冷媒の特性が文字によって表示され、作業環境指針に代えて「作業環境注意点」が表示されている。
したがって、現地作業の現場において、現地作業員は、現地作業における注意点を、迅速かつ確実に知ることができる。
なお、前記表示に追加して、前記作業環境指針（国際規格の名称）やＱＲコード（登録商標）を表示してもよい。
【００５０】
（室内ユニットの変形例）
図７は、図１〜図３に示す空気調和機を構成する室内ユニットの変形例を説明する斜視図であって、一部の構成部材（室内ファン、化粧パネル等）を透視した状態を示している。
図７において、空気調和機１００の室内ユニット１０１は、室内ユニット１０１の筐体１が室内の天井（図示しない）に埋め込まれ、室内ユニット１０１の下部に略四角形状の化粧パネル（図示しない）が着脱自在に設置されている。
筐体１内の略中央部に、下側を吸込口とする室内送風ファン７ｆ（図示しない）と室内送風ファン７ｆへ空気を導入するためのベルマウス（図示しない）が配置されている。
【００５１】
（室内熱交換器）
そして、図示しない室内送風ファン７ｆを囲むように、筐体１の側面１ａ、１ｂ、１ｃ、１ｄにそれぞれ平行に配置された室内熱交換器部分７ａ、７ｂ、７ｃ、７ｄを具備する略環状の室内熱交換器７が配置され、室内熱交換器７の下部にドレンパン（撤去されている）が設置されている。
室内熱交換器部分７ａに室内冷媒配管９が接続され、室外ユニット１０２から供給された冷媒は、室内熱交換器部分７ａを経由して、室内熱交換器部分７ｂ、７ｃ、７ｄを通過した後、室内熱交換器部分７ａを経由して室外ユニット１０２に戻され、冷凍サイクルが実行される。
したがって、室内送風ファン７ｆによって送り出された室内空気と冷凍サイクルを実行する冷媒とが熱交換をすることにより、室内空気を調和（冷却又は加熱、あるいは除湿又は加湿）している。また、室内熱交換器部分７ａ、７ｂ、７ｃ、７ｄの外周側で、筐体１の側面１ａ、１ｂ、１ｃ、１ｄとの間に、吹出口３１ａ、３１ｂ、３１ｃ、３１ｄが設けられ、これらを通過して、前記調和された室内空気が室内に吹き出される。
【００５２】
（表示部）
また、室内熱交換器部分７ａの端面に対向し、吹出口３１ａの端面と吹出口３１ｄの端面との間に、ガス側の延長配管１０ａを接続するためのフレア継手１５ａおよび液側の延長配管１０ｂを接続するためのフレア継手１５ｂが設置される室内バルブ台（配管支持部材に同じ）３２が筐体１に固定されている。
そして、室内バルブ台３２に表示部６１が配置されている。
そうすると、現地作業の際に現地作業者が室内ユニット１０１のフレア継手１５ａ、１５ｂやその近傍に必ず触れ、その近傍を見るから、室外ユニット１０２の延長配管接続バルブ１３ａ、１３ｂが設置されるバルブ台５４に配置された表示部６１と同様に、室内バルブ台３２に配置された表示部６１は現地作業者の目に必ず触れることになる。
【００５３】
したがって、室外ユニット１０２における現地作業における場合と同様に、室内ユニット１０１における現地作業についても、万一、現地作業の際に冷媒が漏洩したとしても、現地作業者や現地周囲の人に対する十分に適切な処置を確保することが可能になり、また、万一の冷媒漏洩に対する作業環境を予め確保することがより確実になるから、万一の冷媒漏洩に対する信頼性が向上している。
なお、以上は、表示部６１を室内バルブ台３２に配置しているが、本発明はこれに限定するものではなく、冷媒配管のフレア継手１５ａ、１５ｂの周囲（近い位置）に設けてもよい。すなわち、室内バルブ台３２が複数の部材から形成され（分割され）、それぞれの部材が小さい場合には、当該部材の周囲に、あるいは当該部材とその周囲とに跨がって、表示部６１を設けてもよい。
さらに、表示部６１は室外ユニット１０２と室内ユニット１０１との両方に配置してもよいし、室外ユニット１０２のみに配置してもよい。
【００５４】
ここまで、本発明の冷凍サイクル装置を、空気調和機１００を例にして、室外ユニット１０２および室内ユニット１０１について説明してきたが、本発明は空気調和機１００に限定するものではない。すなわち、据え付けや修理、撤去といった現地作業の際に、冷媒配管の接続作業やサービス口から冷媒充填を行うユニット（熱源側ユニットや負荷側ユニット等）を備えて、冷媒回路を循環する冷媒として可燃性や毒性を有するものであれば、何れの冷凍サイクル装置であってもよい。例えば、ヒートポンプ給湯機や冷凍機、チラーなど、他の冷凍サイクル装置であっても、本発明を適用することができ、同様な作用効果が得られるから、万一の冷媒漏洩に対して適正に対処することができる。
【符号の説明】
【００５５】
１  筐体、１ａ  側面、１ｂ  側面、１ｃ  側面、１ｄ  側面、２  筐体、３  圧縮機、４  四方弁（冷媒流路切換弁）、５  室外熱交換器、５ｆ  室外送風ファン、５ｍ  ファンモータ、６  膨張弁（減圧装置）、７  室内熱交換器、７ａ  室内熱交換器部分、７ｂ  室内熱交換器部分、７ｃ  室内熱交換器部分、７ｄ  室内熱交換器部分、７ｆ  室内送風ファン、８  室外冷媒配管、９  室内冷媒配管、１０ａ  延長配管、１０ｂ  延長配管、１１  吸入配管、１２  吐出配管、１３ａ  延長配管接続バルブ、１３ｂ  延長配管接続バルブ、１４ａ  サービス口、１４ｂ  サービス口、１４ｃ  サービス口、１５ａ  フレア継手、１５ｂ  フレア継手、１６ａ  フレア継手、１６ｂ  フレア継手、２０  電気品ユニット、３１ａ  吹出口、３１ｂ  吹出口、３１ｃ  吹出口、３１ｄ  吹出口、３２  室内バルブ台、５０  仕切板、５１  ファン室前面パネル、５２  機械室前面パネル、５３  機械室側面パネル、５４  バルブ台、５５  天面パネル、５６  底板、５７  吹出口、５８  ファンガード、５９  ファンモータ支持板、６０  製品名板、６１  表示部、１００  空気調和機（冷凍サイクル装置）、１０１  室内ユニット、１０２  室外ユニット。
【図１】
2014202451.tif 000004
【図２】
2014202451.tif 000005
【図３】
2014202451.tif 000006
【図４】
2014202451.tif 000007
【図５】
2014202451.tif 000008
【図６】
2014202451.tif 000009
【図７】
2014202451.tif 000010
【手続補正書】
【提出日】平成26年2月25日(2014.2.25)
【手続補正１】
【補正対象書類名】明細書
【補正対象項目名】０００４
【補正方法】変更
【補正の内容】
【０００４】
また、そのような低ＧＷＰの冷媒候補として、組成中に炭素の二重結合を持たないＨＦＣ冷媒として、例えば、Ｒ４１０ＡよりもＧＷＰが低いＲ３２（ＣＨ２Ｆ２；ジフルオロメタン）がある。
また、同じような候補冷媒として、Ｒ３２と同様にＨＦＣ冷媒の一種であって、組成中に炭素の二重結合を有するハロゲン化炭化水素がある。かかるハロゲン化炭化水素として、例えば、ＨＦＯ−１２３４ｙｆ（ＣＦ３ＣＦ＝ＣＨ２；テトラフルオロプロペン）やＨＦＯ−１２３４ｚｅ（ＣＦ３−ＣＨ＝ＣＨＦ）がある。なお、Ｒ３２のように組成中に炭素の二重結合を持たないＨＦＣ冷媒と区別するために、炭素の二重結合を持つＨＦＣ冷媒を、オレフィン（炭素の二重結合を持つ不飽和炭化水素がオレフィンと呼ばれる）の「Ｏ」を使って、「ＨＦＯ」と表現されることが多い。
【手続補正２】
【補正対象書類名】明細書
【補正対象項目名】００２７
【補正方法】変更
【補正の内容】
【００２７】
なお、冷媒はこのＲ３２に限定されるものではなく、Ｒ３２同様に微燃性を有する、先に説明した、ＨＦＣ冷媒の一種であるが、組成中に炭素の二重結合を有するハロゲン化炭化水素であり、ＧＷＰがＲ３２冷媒よりも更に小さい例えばＨＦＯ−１２３４ｙｆ（ＣＦ３ＣＦ＝ＣＨ２；テトラフルオロプロペン）やＨＦＯ−１２３４ｚｅ（ＣＦ３−ＣＨ＝ＣＨＦ）等のＨＦＯ冷媒であってもよい。
また、強燃性を有するＲ２９０（Ｃ３Ｈ８；プロパン）やＲ１２７０(Ｃ３Ｈ６；プロピレン)等のＨＣ冷媒や、微燃性且つ有毒性のＲ７１７（ＮＨ３；アンモニア）であってもよい。また、これら冷媒の二種以上を混合した混合冷媒であってもよい。
【手続補正３】
【補正対象書類名】明細書
【補正対象項目名】００４２
【補正方法】変更
【補正の内容】
【００４２】
【表１】
2014202451.tif 000011
【手続補正書】
【提出日】平成26年8月11日(2014.8.11)
【手続補正１】
【補正対象書類名】明細書
【補正対象項目名】００１１
【補正方法】変更
【補正の内容】
【００１１】
この発明に係る冷凍サイクル装置は、圧縮機と、熱源側熱交換器と、膨張手段と、負荷側熱交換器と、前記圧縮機、前記熱源側熱交換器、前記膨張手段および前記負荷側熱交換器を連結して、可燃性および毒性の少なくとも一方の特性を有する冷媒を循環させる冷媒配管とを有し、冷凍サイクルを実行する冷凍サイクル装置であって、前記冷媒配管の一部または前記冷媒配管を支持する配管支持部材の一部若しくは前記一部の周囲の少なくとも何れかに表示部が設けられ、前記表示部は、前記冷媒の特性に応じた作業環境指針を示しているものであり、前記圧縮機および前記熱源側熱交換器が設けられた熱源側ユニットと、前記負荷側熱交換器が設けられた負荷側ユニットと、を備え、前記熱源側ユニットに配置された前記冷媒配管の一部である熱源側冷媒配管に設けられた熱源側接続バルブと、前記負荷側ユニットに配置された前記冷媒配管の一部である負荷側冷媒配管に設けられた負荷側接続バルブとに、前記冷媒配管の一部である延長配管の両端がそれぞれ接続され、前記表示部は、前記負荷側接続バルブの位置または前記負荷側接続バルブが設置される負荷側バルブ支持部材の位置または該位置の周囲の少なくとも何れかに設けられていることを特徴とする。
【手続補正２】
【補正対象書類名】特許請求の範囲
【補正対象項目名】全文
【補正方法】変更
【補正の内容】
【特許請求の範囲】
【請求項１】
圧縮機と、熱源側熱交換器と、膨張手段と、負荷側熱交換器と、前記圧縮機、前記熱源側熱交換器、前記膨張手段および前記負荷側熱交換器を連結して、可燃性および毒性の少なくとも一方の特性を有する冷媒を循環させる冷媒配管とを有し、冷凍サイクルを実行する冷凍サイクル装置であって、
前記冷媒配管の一部または前記冷媒配管を支持する配管支持部材の一部若しくは前記一部の周囲の少なくとも何れかに表示部が設けられ、
前記表示部は、前記冷媒の特性に応じた作業環境指針を示しているものであり、
前記圧縮機および前記熱源側熱交換器が設けられた熱源側ユニットと、
前記負荷側熱交換器が設けられた負荷側ユニットと、を備え、
前記熱源側ユニットに配置された前記冷媒配管の一部である熱源側冷媒配管に設けられた熱源側接続バルブと、前記負荷側ユニットに配置された前記冷媒配管の一部である負荷側冷媒配管に設けられた負荷側接続バルブとに、前記冷媒配管の一部である延長配管の両端がそれぞれ接続され、
前記表示部は、前記負荷側接続バルブの位置または前記負荷側接続バルブが設置される負荷側バルブ支持部材の位置または該位置の周囲の少なくとも何れかに設けられていることを特徴とする冷凍サイクル装置。
【請求項２】
前記表示部は、前記熱源側接続バルブの位置または前記熱源側接続バルブが設置される熱源側バルブ支持部材の位置または該位置の周囲の少なくとも何れかに設けられていることを特徴とする請求項１記載の冷凍サイクル装置。
【請求項３】
圧縮機と、熱源側熱交換器と、膨張手段と、負荷側熱交換器と、前記圧縮機、前記熱源側熱交換器、前記膨張手段および前記負荷側熱交換器を連結して、可燃性および毒性の少なくとも一方の特性を有する冷媒を循環させる冷媒配管とを有し、冷凍サイクルを実行する冷凍サイクル装置であって、
前記冷媒配管の一部または前記冷媒配管を支持する配管支持部材の一部若しくは前記一部の周囲の少なくとも何れかに表示部が設けられ、
前記表示部は、前記冷媒の特性に応じた作業環境指針を示しているものであり、
前記作業環境指針は、少なくとも電動工具指針を含むことを特徴とする冷凍サイクル装置。
【請求項４】
前記冷媒配管は前記冷媒を供給するためのサービス口を有し、前記表示部は前記サービス口の位置に設けられていることを特徴とする請求項１〜３の何れか一項に記載の冷凍サイクル装置。
【請求項５】
前記表示部に作業環境指針に追加して、冷媒名、冷媒分類および冷媒の特性が示されていることを特徴とする請求項１〜４の何れか一項に記載の冷凍サイクル装置。
【請求項６】
前記表示部に、作業環境指針にアクセスするための情報が示されていることを特徴とする請求項５記載の冷凍サイクル装置。